(57)【要約】【課題】  鴨居７０の案内溝７１の溝底と引戸９０の戸首部材２０との間の隙間を埋める跳ね上げ抑制部材１の現地施工の施工性を向上させる。【解決手段】鴨居７０と、この鴨居７０の案内溝７１に案内される引戸９０の戸首部材２０との間の隙間を埋めるための跳ね上げ抑制部材１であり、案内溝７１の溝底に固定される取り付けプレート２と、この取り付けプレート２に着脱可能に積層される複数枚の調整プレート３と、取り付けプレート２および調整プレート３間並びに各調整プレート３間を互いに着脱可能に結合する結合構造４とを備えている。跳ね上げ抑制部材１は、スライドアシスト装置１０によるアシスト長さよりも長く形成されている。【選択図】  図２
2011032714.tif 000002
【特許請求の範囲】
【請求項１】
構造物の開口部を開閉する引戸の頂部に設けられた枠体と、この枠体内に一端がフリー状態で収容される引きバネと、この引きバネのフリー端部に取り付けられたスライド部材と、前記構造物に取り付けられ引戸の移動範囲内の所定の範囲で前記スライド部材に対して係合する受け部材とを有し、引戸の一方向へのスライド時に前記スライド部材と受け部材とが係合することにより前記引きバネを伸長させ、反対方向のスライド時に前記スライド部材と受け部材とが係合することにより前記引きバネの付勢力を開き方向または閉じ方向のスライドアシスト力として引戸に付与するスライドアシスト装置を備える引戸の、前記反対方向のスライド時におけるスライド部材と受け部材との係合時の跳ね上げを抑制する引戸の跳ね上げ抑制部材であって、
前記引戸の頂部と構造物との間における構造物側に固定される基台と、
前記基台に着脱可能に積層される１枚又は複数枚の薄層プレート片とを備え、
前記基台は、前記スライドアシスト装置によるアシスト長さよりも長く形成されていることを特徴とする引戸の跳ね上げ抑制部材。
【請求項２】
前記基台は、プレート状に構成されていることを特徴とする請求項１記載の引戸の跳ね上げ抑制部材。
【請求項３】
前記基台には、当該基台を構造物側に固定するための貫通孔が貫設されているとともに、前記薄層プレート片には、前記貫通孔に対応した位置に挿通孔が穿設されていることを特徴とする請求項１または２記載の引戸の跳ね上げ抑制部材。
【請求項４】
前記薄層プレート片には、その一面側に設けられた少なくとも１つの結合突起と、他面側に凹設された前記結合突起が摺接状態で嵌り込み得る形状に設定された少なくとも１つの結合凹部とが設けられ、前記基台には前記係合突起に対応して凹設された係合凹部とを備えることを特徴とする請求項１ないし３のいずれかに記載の引戸の跳ね上げ抑制部材。
【請求項５】
前記係合突起と前記係合凹部とは、それぞれ左右対称位置に設けられていることを特徴とする請求項４記載の引戸の跳ね上げ抑制部材。
【発明の詳細な説明】
【技術分野】
【０００１】
本発明は、引戸のスライドアシスト装置によるアシスト動作開始時の引戸の跳ね上げを抑制する引戸の跳ね上げ抑制部材に関するものである。
【背景技術】
【０００２】
従来、特許文献１に記載されているようなドアークローザー（スライドアシスト装置）が知られている。このドアークローザーは、引戸を対象として設けられ、一旦開放または閉止された当該引戸を閉じるときおよび開くときに伸長状態とされた引きバネの付勢力で開閉動作をアシストするように構成されている。そして、一旦開かれた引戸を閉じるべく当該引戸に対し閉止方向に向けて力を加えると、伸長状態の引きバネの付勢力が作用し、この引きバネの付勢力で引戸を極めて軽く閉じることができる。
【０００３】
具体的には、このドアークローザーは、引戸の上端側に付設された本体ボディと、この本体ボディ内に一端がフリー状態で収容される引きバネと、この引きバネのフリー端部に取り付けられ上方に突設されたキャッチ体（スライド部材）と、戸枠に下方に突出する態様で設けられたフック体（受け部材）とを備え、引戸開動作に伴いキャッチ体とフック体とが上下に係合して引きバネを所定量延伸した時点でフック体が本体ボディに停止保持され、引戸閉動作に伴いキャッチ体とフック体とが再係合してキャッチ体の停止保持状態が解除され引きバネの弾性収縮力で引戸の閉方向のスライドをアシストするように構成されている。
【先行技術文献】
【特許文献】
【０００４】
【特許文献１】特開２００８−１５６８５１号公報
【発明の概要】
【発明が解決しようとする課題】
【０００５】
ところで、前記特許文献１記載のドアークローザーでは、スライド部材と受け部材とが上下に係合することで引戸の上縁部が制動され、これにより引戸が跳ね上がる場合があった。
【０００６】
また、本発明者は、スライド部材と受け部材とを上下に係合するものではなく、スライド部材と受け部材とを横方向、すなわち引戸の側方側で係合させる引戸のスライドアシスト装置を提案している（特願２００８−２５９９６４号）が、この種の引戸のスライドアシスト装置においても、例えば戸車の高さ調整機構を用いて引戸の一方側の高さを高くするなど引戸がスライド方向に対して傾いた場合には、これに応じてスライド部材と受け部材との相対的位置関係も傾き、引戸の閉動作の際における両部材の係合時に両部材が片当たりして引戸が顕著に跳ね上がる場合があることが分かった。
【０００７】
ここで、引戸と戸枠との隙間にこれを埋める部材を介在させ、これにより跳ね上げを抑制することも考えられるが、隙間の広狭は種々存在し、この広狭それぞれの隙間に適合する跳ね上げ抑制部材を複数種類用意したのではコスト増に繋がる。しかも、この跳ね上げ抑制部材は見た目を良好にする観点から戸枠に取り付けられるが、例えば閉じ方向のスライドをアシストするスライドアシスト装置の場合、引戸を閉じ方向にスライドさせてスライド部材と受け部材とが係合するときに、引戸の閉じ方向端部上方に跳ね上げ部材を位置させる必要があり、その位置合わせが面倒であるという問題がある。
【０００８】
本発明は、従来のかかる問題点を解消するべくなされたものであって、引戸のスライドアシスト装置を備える引戸における跳ね上げを簡単かつ確実に抑制することができ、しかも簡易に装着可能な引戸の跳ね上げ抑制部材を提供することを目的としている。
【課題を解決するための手段】
【０００９】
上記課題を解決するために、この発明に係る引戸の跳ね上げ抑制部材は、構造物の開口部を開閉する引戸の頂部に設けられた枠体と、この枠体内に一端がフリー状態で収容される引きバネと、この引きバネのフリー端部に取り付けられたスライド部材と、前記構造物に取り付けられ引戸の移動範囲内の所定の範囲で前記スライド部材に対して係合する受け部材とを有し、引戸の一方向へのスライド時に前記スライド部材と受け部材とが係合することにより前記引きバネを伸長させ、反対方向のスライド時に前記スライド部材と受け部材とが係合することにより前記引きバネの付勢力を開き方向または閉じ方向のスライドアシスト力として引戸に付与するスライドアシスト装置を備える引戸の、前記反対方向のスライド時におけるスライド部材と受け部材との係合時の跳ね上げを抑制する引戸の跳ね上げ抑制部材であって、前記引戸の頂部と構造物との間における構造物側に固定される基台と、前記基台に着脱可能に積層される１枚又は複数枚の薄層プレート片とを備え、前記基台は、前記スライドアシスト装置によるアシスト長さよりも長く形成されていることを特徴とするものである（請求項１）。
【００１０】
この発明において、スライドアシスト装置によるアシスト長さとは、引戸の一方向へのスライド操作の終点間近（具体的には、引戸が開放または閉止されてしまう若干前）において、当該引戸が予め伸長された引きバネの付勢力により移動が補助される場合の、補助の開始から終点までの引戸の移動距離のことである。
【００１１】
この発明によれば、基台とこの基台に着脱可能に積層される１枚又は複数枚の薄層プレート片とを備えるので、例えば戸車の高さ調整機構を利用して引戸が傾き、これにより引戸と構造物との間に隙間が生じた場合でも、この隙間寸法に応じて薄層プレート片の積層枚数を基台に対して任意に積層することができ、隙間の広狭に応じて薄層プレート片の枚数を調整することにより簡単かつ確実に前記隙間を埋めることができる。このため、引戸の前記反対方向のスライド時におけるスライド部材と受け部材との係合の際に引戸の上部が制動されることにより引戸が跳ね上がろうとしても、前記基台と薄層プレート片とで構造物と引戸との間の隙間が埋められているため、引戸の跳ね上がりを簡単かつ確実に抑制することができる。
【００１２】
また、前記基台は前記スライドアシスト装置によるアシスト長さよりも長く形成されているので、基台の一端を、例えば戸枠における引戸の案内溝の閉鎖（開放）側端面に突き合わせるなど、構造物における引戸の閉鎖（または開放）位置に対応する位置に合わせることにより、基台の他端部を、スライドアシスト開始時における引戸の一端部上方に確実に位置させることができる。このため、基台の構造物への装着にあたって、スライドアシスト装置におけるスライド部材と受け部材との係合開始位置を考慮して、基台の位置合わせを行う必要がなく、基台の一端を前記所定の位置（引戸の閉鎖または開放位置に対応する位置）に合わせるだけで、確実に両部材の係合時の引戸の跳ね上げを防止することができる。すなわち、この発明によれば、引戸の跳ね上げ抑制部材を簡易かつ効果的に装着することができる。
【００１３】
この発明において、前記基台は、ブロック状または引戸もしくは引戸に備えられた前記枠体をガイドするためのガイドレール状に形成されるものであってもよいが、前記基台は、プレート状に形成されているのが好ましい（請求項２）。
【００１４】
すなわち、引戸には戸枠における鴨居の案内溝に沿って案内されることにより構造物の開口部を開閉するものがあるが、前記のように基台がプレート状に形成されている場合には、前記案内溝における天面に設置することができ、引戸と案内溝天面との隙間が狭い場合には、このプレート状の基台単独で隙間を埋めることもでき、使い勝手を向上させることができる。
【００１５】
この発明において、前記基台の具体的構造を特に限定するものではないが、前記基台には、当該基台を構造物側に固定するための貫通孔が貫設されているとともに、前記薄層プレート片には、前記貫通孔に対応した位置に挿通孔が穿設されているのが好ましい（請求項３）。
【００１６】
このように構成すれば、基台に所定枚数の薄層プレート片を積層した状態で、薄層プレート片の挿通孔および基台の貫通孔にネジを差し通し、構造物に螺着締結することができ、これにより引戸の跳ね上げ抑制部材が構造物に固定される。このように、基台に貫通孔を貫設するとともに、薄層プレート片に貫通孔と対向した挿通孔を穿設することによって、跳ね上げ抑制部材の構造物への取付作業の作業性を向上することができる。
【００１７】
また、この発明において、前記薄層プレート片の具体的構造、特に薄層プレート片同士の結合および薄層プレート片と基台との結合構造を特に限定するものではなく、例えばネジ止め等により各部材を結合するものであってもよいが、前記薄層プレート片には、その一面側に設けられた少なくとも１つの結合突起と、他面側に凹設された前記結合突起が摺接状態で嵌り込み得る形状に設定された少なくとも１つの結合凹部とが設けられ、前記基台には前記係合突起に対応して凹設された係合凹部とを備えるのが好ましい（請求項４）。
【００１８】
このように構成すれば、一の薄層プレート片の結合凹部に対し、他の薄層プレート片の結合突起を順次嵌め込んで行くことにより、複数枚の薄層プレート片を簡単に積層することができる。また、薄層プレート片の結合突起を基台の結合凹部に嵌め込むことによって薄層プレート片を基台に簡単に結合することができ、薄層プレート片の枚数を調節することで所望の厚み寸法の跳ね上げ抑制部材を容易に得ることができる。このように結合構造を、結合突起と結合凹部とで構成することにより、簡単な構造でありながら跳ね上げ抑制部材の厚さ寸法を容易に変更することができる。
【００１９】
この場合において、前記係合突起と前記係合凹部の具体的構成を特に限定するものではないが、前記係合突起と前記係合凹部とは、それぞれ左右対称位置に設けられているのが好ましい（請求項５）。
【００２０】
このように構成すれば、平置きされた１枚の薄層プレート片に対し他の１枚の薄層プレート片を平面視で１８０°回動させるようにして複数の薄層プレート片をそれぞれ互い違いに積層していくことにより、各突起が相手方の結合凹部にそれぞれ嵌り込んで複数の薄層プレート片が一体的に結合される。これにより薄層プレート片の複数枚の積層にあたって、係合突起と係合凹部との位置が異なる複数種類の薄層プレート片を用意する必要がなく、１種類の薄層プレート片で複数枚の薄層プレート片を積層することができる。
【発明の効果】
【００２１】
本発明に係る引戸の跳ね上げ抑制部材によれば、スライド部材と受け部材とを有する引戸のスライドアシスト装置を備える引戸において、スライド部材と受け部材との係合開始時の跳ね上げを簡単かつ確実に抑制することができ、しかも簡易かつ確実に装着することができる。
【図面の簡単な説明】
【００２２】
【図１】本発明に係る跳ね上げ抑制部材が適用された、スライドアシスト装置、鴨居、敷居および引戸を備えてなる引戸装置を示す一部切り欠き斜視図である。
【図２】本発明に係る跳ね上げ抑制部材の一実施形態を示す斜視図であり、図２（Ａ）は、分解斜視図、図２（Ｂ）は、組み立て斜視図である。
【図３】跳ね上げ抑制部材の構成要素の一実施形態を示す平面図であり、図３（Ａ）は、取り付けプレートを示す平面図であり、図３（Ｂ）は、調整プレートを示す平面図である。因みに図３（Ｂ）−「１」および図３（Ｂ）−「２」は、調整プレート３を平面上で互いに１８０°位相変化された状態をそれぞれ示している。
【図４】図２（Ｂ）のＩＶ−ＩＶ線視の断面図である。
【図５】跳ね上げ抑制部材の鴨居に対する第１の取り付け方法を説明するための説明図であり、図５（Ａ）は、鴨居に固定された取り付けプレートに１枚目の調整プレートを結合させようとしている状態、図５（Ｂ）は、２枚目の調整プレートを１枚目の調整プレートに結合させようとしている状態、図５（Ｃ）は、３枚目の調整プレートを２枚目の調整プレートに結合させようとしている状態、図５（Ｄ）は、鴨居に固定された跳ね上げ抑制部材が当該鴨居の案内溝の溝底と戸首部材との間の隙間に介設された状態をそれぞれ示している。
【図６】跳ね上げ抑制部材の鴨居に対する第２の取り付け方法を説明するための説明図であり、（Ａ）は、予め組み付けられた跳ね上げ抑制部材が鴨居の所定の位置に当接された状態、（Ｂ）は、跳ね上げ抑制部材を鴨居にねじ止めしつつある状態、（Ｃ）は、鴨居に固定された跳ね上げ抑制部材が当該鴨居の案内溝の溝底と戸首部材との間の隙間に介設された状態をそれぞれ示している。
【図７】左側の戸首部材を示す一部切り欠き分解斜視図である。
【図８】図７に示す戸首部材の組み立て斜視図であり、引戸が閉止された状態を示している。
【図９】図７に示す戸首部材の組み立て斜視図であり、引戸が開放された状態を示している。
【図１０】図８の円内の図のＸ−Ｘ線断面図である。
【図１１】スライドアシスト装置の作用を説明するための平面視の一部断面説明図であり、（Ａ）は、引戸が閉止されることによって舌片が係合姿勢に姿勢設定されたスライドアシスト装置が最左端に位置した状態、（Ｂ）は、引戸の開放動作によってコイルスプリングが伸張しつつある状態、（Ｃ）は引戸が所定距離だけ移動したことにより引掛け部材の舌片が角孔に到達してピン回りに時計方向に回動して解除姿勢に姿勢変化し、角孔を介して角筒体内へ没入した状態、（Ｄ）は、解除姿勢に姿勢設定された舌片がトリガーの係合条を遣り過ごしてコイルスプリングの付勢力を維持したまま引戸が開放動作を継続している状態をそれぞれ示している。
【図１２】スライドアシスト装置の作用を説明するための平面視の一部断面説明図であり、（Ａ）は、一旦開放された引戸を閉止操作することにより、引掛け部材の三角ブロックの前方右縁部がトリガーの係合条に係合した状態、（Ｂ）は、舌片が角孔から抜け出して解除姿勢から係合姿勢へ姿勢変化し、これによって舌片の右角部が係合条に係合した状態をそれぞれ示している。
【図１３】跳ね上げ抑制部材が鴨居用案内溝の左右の端部の溝底に設けられることによる作用について説明するための説明図であり、（Ａ）は、引戸が前屈しながら閉止されつつある状態、（Ｂ）は、引戸が完全に閉じられた状態をそれぞれ示している。
【発明を実施するための形態】
【００２３】
以下、図１を基に本発明に係る引戸装置１００について説明する。図１は、本発明に係る跳ね上げ抑制部材１が適用された、スライドアシスト装置１０、鴨居（構造物の一部）７０、敷居８０および引戸９０を備えてなる引戸装置１００を示す一部切り欠き斜視図である。なお、図１においてＸ方向を左右方向、Ｙ方向を前後方向といい、特に−Ｘを左方、＋Ｘを右方、−Ｙを前方、＋Ｙを後方という。因みに、本発明における「引戸の側方」とは、Ｙ方向をいうものとする。そして、図１に示す例において、引戸９０は、左右のいずれかの一方向へ向かうと開放され、他方向へ向かうと閉止されるのであるが、以下、左方へ向かうと閉止され、右方へ向かうと開放されるとして説明する。
【００２４】
まず、図１を基に、引戸装置１００に適用されるスライドアシスト装置１０について説明する。本実施形態にかかるスライドアシスト装置１０は、頂部が鴨居７０に設けられた下面開放の鴨居７０の案内溝７１に遊嵌され、かつ、下縁部が敷居８０に開閉方向へ延びるように設けられた案内溝８１に嵌め込まれた状態で左右方向に正逆移動して開閉可能とされた、いわゆる立て付け戸を対象とするものである。鴨居７０の案内溝７１は、溝幅寸法が、後述する角筒体（枠体）３０の前後幅寸法に後述する引掛け部材４９の角筒体３０からの突出量を加えた寸法より若干広めに設定されている。
【００２５】
そして、本実施形態においては、前記引掛け部材４９と後述のスライドブロック４５とで、図７〜図９に示すように、角筒体３０内をガイドスリット３３に案内されつつ正逆移動する本発明に係るスライド部材４５０が形成されている。
【００２６】
一方、引戸装置１００の構成要件の一つである引戸９０は、平らな板状の戸本体９１と、この戸本体９１の上縁部に設けられる目隠し板９２と、この戸本体９１の下縁部に取り付けられた左右方向一対に戸車９３とを備えている。
【００２７】
戸本体９１内の下部には、当該戸本体９１に対する戸車９３の相対的な高さ位置を調整するための図略の高さ位置調整機構が設けられている。この高さ位置調整機構を操作することで戸本体９１の傾きを調整することができる。
【００２８】
そして、このような引戸９０に適用される引戸装置１００の他の構成要件であるスライドアシスト装置１０は、戸本体９１の上縁部の左右対称位置に取り付けられる左右一対の戸首部材２０と、この戸首部材２０に対応して前記鴨居７０の案内溝７１の前方内壁７３（図１０）に固定された左右一対のトリガー（受け部材）６０とを備えている。一対のトリガー６０は、引戸９０を開閉するに際し、一対の戸首部材２０の内の対応した一方側のスライド部材４５０と係合させるためのものであり、鴨居７０の案内溝７１の前方内壁７３の左右対称位置にそれぞれ取り付けられている。
【００２９】
スライドアシスト装置１０がそれぞれ左右一対で設けられる理由は、引戸９０を開くときと閉じるときとの双方でスライドアシスト装置１０のアシスト機能を享受し得るようにするためである。
【００３０】
前記各戸首部材２０の前後幅寸法は、引戸９０の厚み寸法より若干小さめ（具体的には引戸９０の厚み寸法の略２／３）に設定されている。かかる各戸首部材２０の対向端面には、それぞれ装着隙間２９１を有する直方体状の二股片２９が固定されている。各装着隙間２９１は、二股片２９の対向面に上下方向に延びるように設けられている。二股片２９の前後幅寸法が戸首部材２０のそれより若干大きめに設定され、これによって二股片２９の前縁部が戸首部材２０から前方へ向けて突出した状態（図８）になっている。
【００３１】
そして、目隠し板９２の左右の端部は、これら一対の二股片２９の各装着隙間２９１に嵌め込まれることにより、一対の戸首部材２０間に形成された間隙が埋められ、これによってこの部分を通した向こう側が目隠しされるようになっている。
【００３２】
このような引戸装置１００において、例えば引戸９０が傾いていることにより起こる閉め残しを解消するべく、前記高さ位置調整機構によって戸車９３の高さ位置が調整される場合がある。これにより引戸９０が傾いた状態で開閉された場合に起こる当該引戸９０の端部の跳ね上がりが防止されるが、それでも調整後の状態によっては閉止時に引戸９が跳ね上がる場合もある。かかる跳ね上がりを抑制するべく鴨居７０の案内溝７１の両端部の溝底（天井面）に、図１に示すように、跳ね上げ抑制部材１が積層されるのである。
【００３３】
図２は、本発明に係る跳ね上げ抑制部材１の一実施形態を示す斜視図であり、図２（Ａ）は、分解斜視図、図２（Ｂ）は、組み立て斜視図である。因みに、図２（Ｂ）では、鴨居７０に固定された跳ね上げ抑制部材１が鴨居７０の案内溝７１の溝底と戸首部材２０との間に介設された状態を示している。
【００３４】
また、図３は、跳ね上げ抑制部材１の構成要素の一実施形態を示す平面図であり、図３（Ａ）は、取り付けプレート２を示す平面図であり、図３（Ｂ）は、調整プレート３を示す平面図である。因みに図３（Ｂ）−「１」および図３（Ｂ）−「２」は、調整プレート３を平面上で互いに１８０°位相変化された状態をそれぞれ示している。さらに、図４は、図２（Ｂ）のＩＶ−ＩＶ線視の断面図である。
【００３５】
なお、図２および図４においては、鴨居７０および戸首部材２０を、跳ね上げ抑制部材１を挟持する部材として簡素化して原理的に示しているので、詳細な部分では実際のものとは異なっている。
【００３６】
まず、図２に示すように、跳ね上げ抑制部材１は、鴨居７０の案内溝７１の溝底と戸首部材（枠体）２０との間の隙間を埋めるために設けられるものであり、鴨居７０の案内溝７１の溝底に固定される取り付けプレート（基台）２と、この取り付けプレート２に着脱自在に積層される１枚または複数枚の調整プレート（薄層プレート片）３と、調整プレート３を取り付けプレート２に装着するとともに、調整プレート３が複数枚の場合、当該複数の調整プレート３同士を積層状態で互いに結合する結合構造４とを有する基本構成を備えている。
【００３７】
前記取り付けプレート２は、案内溝７１の延びる方向に対応した長さ寸法がスライドアシスト装置１０によるアシスト長さの１．５倍よりも短く、かつ、アシスト長さより長く設定されている。調整プレート３は、本実施形態においては、取り付けプレート２と同一長さに設定されている。なお、アシスト長さとは、引戸９０をスライド操作するに際し、当該引戸９０が開放または閉止されてしまう若干前の段階で、予め伸長されていたコイルスプリング５０の付勢力により移動が補助（アシスト）される場合の、補助の開始から終点までの引戸９０の移動距離のことである。
【００３８】
こうすることによって跳ね上げ抑制部材１を無駄に長くすることが回避された上で、跳ね上げ抑制部材１の一端を、鴨居７０の案内溝７１の側端面に突き合わせることで設置位置を設定することにより、跳ね上げ抑制部材１の他端部を、スライドアシスト開始時における引戸９０の一端部上方に確実に位置させることができる。このため、跳ね上げ抑制部材１の戸枠（鴨居７０および敷居８０）への装着にあたって、スライドアシスト装置１０における後述のスライドブロック４５とトリガー６０との係合開始位置を考慮して、跳ね上げ抑制部材１の位置合わせを行う必要がなく、跳ね上げ抑制部材１の一端を鴨居７０の案内溝７１の端壁に合わせるだけで、開閉したときの引戸９０の跳ね上げを確実に防止することができる。すなわち、跳ね上げ抑制部材１を上記のように長さ設定することで、引戸９０の跳ね上げ抑制部材１を簡易かつ効果的に装着することができ、現地施工の施工性を格段に向上させることができる。
【００３９】
前記取り付けプレート２は、平面視で短冊のような矩形状を呈している。かかる取り付けプレート２には、長手方向へ延びる中心線Ｌ上の中央位置に上方に向かって先窄まりの円錐台孔（貫通孔）２ａが貫設されている。また、取り付けプレート２には、円錐台孔２ａの孔心から中心線Ｌに沿って一方向（図３（Ａ）に示す例では右方）側へ短尺距離Ｓ１だけ離間した位置に後述の円柱突起５が摺接状態で嵌入される内側嵌入円孔（結合凹部）２ｂが貫設されているとともに、同他方向（図３に示す例では左方）側に長尺距離Ｓ２だけ離間した位置に前記円柱突起５が摺接状態で嵌入される外側嵌入円孔（結合凹部）２ｃが貫設されている。
【００４０】
前記円錐台孔２ａには、下方からネジＮが差し通され、鴨居７０の下面にねじ込まれて螺着されることにより、取り付けプレート２が、図３（Ｂ）および図４に示すように、鴨居７０の下面側に固定される。かかる取り付けプレート２に着脱可能に調整プレート３が積層される。
【００４１】
このような短冊形状を呈した取り付けプレート２は、長尺側の寸法が６０ｍｍに、短尺側の寸法が２０ｍｍに、厚み寸法が２ｍｍに設定されている。また、前記短尺距離Ｓ１は１２ｍｍに、前記長尺距離Ｓ２は２０ｍｍに設定されている。
【００４２】
前記調整プレート３は、長手方向へ延びる中心線Ｌ上の中央位置に穿設された、前記円錐台孔２ａに対応する中央部貫通孔（挿通孔）３ａを有している。
【００４３】
また、調整プレート３には、中央部貫通孔３ａの孔心から図３における長手方向の左右に向けて短尺距離Ｓ１だけ離間した位置の一方側（図３（Ｂ）―「１」に示す例では右方側、図３（Ｂ）―「２」に示す例では左方側）に後述の円柱突起５が圧入固定される内側圧入円孔３ｂが貫設されているとともに、同他方側（図３（Ｂ）―「１」に示す例では左方側、図３（Ｂ）―「２」に示す例では右方側）には、円柱突起５が摺接状態で嵌入される内側嵌入孔（結合凹部）３ｃが貫設されている。
【００４４】
さらに、調整プレート３には、前記中央部貫通孔３ａの孔心から中心線Ｌ上で左右に前記短尺距離Ｓ１より長い長尺距離Ｓ２だけそれぞれ離間した位置の一方側（図３（Ｂ）−「１」に示す例では右方側、図３（Ｂ）―「２」に示す例では左方側）に、後述の円柱突起５が摺接状態で嵌入される外側嵌入円孔（結合凹部）３ｄが貫設されているとともに、同他方側（図３（Ｂ）−「１」に示す例では左方側、図３（Ｂ）―「２」に示す例では右方側）に円柱突起５が圧入固定される外側圧入円孔３ｅが貫設されている。
【００４５】
すなわち、本実施形態においては、調整プレート３における圧入孔と嵌入孔とは、長手方向に延びる中心線に沿って端から同一の並び順で２組が左右対称位置に設けられているのである。
【００４６】
そして、前記内側圧入円孔３ｂおよび前記外側圧入円孔３ｅには、円柱突起（結合突起、図３および図４において点描で表示）５が圧入されて固定される。
【００４７】
かかる円柱突起５は、圧縮弾性変形が可能な合成樹脂材料によって形成され、軸心方向の長さ寸法が調整プレート３の厚み寸法の２倍弱に設定されている。このような円柱突起５は、図２（Ａ）および図４に示すように、内側圧入円孔３ｂおよび外側圧入円孔３ｅに圧入される圧入部５ａと、この圧入部５ａの端面から同心で延設された圧入部５ａより大径の頭部５ｂとを備えている。
【００４８】
前記圧入部５ａの軸心方向の長さは、調整プレート３の厚み寸法と略同一または若干長めに設定されている。なお、圧入部５ａが調整プレート３の厚みより若干長めに設定されている場合には、その先端面が調整プレート３の下面と面一とされ、これによって調整プレート３の上面から若干上方に突出した状態とされる。
【００４９】
また、頭部５ｂの軸心方向の長さ（厚み）は、調整プレート３の厚み寸法より若干小さめに設定されている。これによって円柱突起５の全体長が調整プレート３の厚み寸法の２倍弱に設定されているのと相俟って当該頭部５ｂが各嵌入円孔２ｂ，２ｃ、３ｂ，３ｅに嵌入された状態で各嵌入円孔２ｂ，２ｃ、３ｂ，３ｅから外部に突出するようなことが起こらないようになっている。
【００５０】
前記内側圧入円孔３ｂおよび外側圧入円孔３ｅは、孔径寸法が円柱突起５の圧入部５ａの径寸法より若干小径に設定されている。従って、圧入部５ａが内側圧入円孔３ｂおよび外側圧入円孔３ｅに圧入された状態で円柱突起５が容易に外れることはない。
【００５１】
これに対し内側嵌入孔３ｃおよび外側嵌入円孔３ｄは、円柱突起５の頭部５ｂより僅かに小径に設定されている。従って、頭部５ｂは、挿脱可能に摺接状態で内側嵌入孔３ｃおよび外側嵌入円孔３ｄに嵌り込むため、一旦嵌り込んだ頭部５ｂは、外力が作用しない限りこの状態を継続することができる一方、外力を加えることによって当該頭部５ｂを各嵌入孔３ｃ，３ｄから容易に取り外すことができる。
【００５２】
また、取り付けプレート２には、その下面側の短手方向の各下縁部が面取りされることによって形成された一対の傾斜縁部２ｄが設けられているとともに、調整プレート３の下面側の短手方向の各下縁部にも面取りされることによって形成された一対の傾斜縁部３ｆが形成されている。取り付けプレート２および調整プレート３にかかる傾斜縁部２ｄ，３ｆが形成されていることにより、積層されて連結された複数枚の調整プレート３を分離させるとき、この傾斜縁部２ｄ，３ｆの部分にドライバー等の工具を差し込むことによって結合状態の調整プレート３を容易に剥がすことができる。
【００５３】
また、本実施形態においては、取り付けプレート２と調整プレート３との間、並びに各調整プレート３間を互いに着脱可能に結合する結合構造４は、取り付けプレート２に設けられた内側嵌入円孔２ｂおよび外側嵌入円孔２ｃ、調整プレート３に設けられた内側圧入円孔３ｂ、内側嵌入孔３ｃ、外側嵌入円孔３ｄおよび外側圧入円孔３ｅ並びに各圧入孔３ｂ，３ｅに圧入部５ａが圧入されるとともに、頭部５ｂが各嵌入円孔２ｂ，２ｃ，３ｃ，３ｄに摺接状態で着脱可能に嵌入される円柱突起５によって構成されている。
【００５４】
以下、このような跳ね上げ抑制部材１の鴨居７０に対する取り付け方法について、図５および図６を基に、必要に応じて他の図面も参照しながら説明する。なお、図５および図６に示す例では、１枚の取り付けプレート２と３枚の調整プレート３とで跳ね上げ抑制部材１が形成される場合を示している。
【００５５】
まず、図５は、跳ね上げ抑制部材１の鴨居７０に対する第１の取り付け方法を説明するための説明図であり、図５（Ａ）は、鴨居７０に固定された取り付けプレート２に１枚目の調整プレート３を結合させようとしている状態、図５（Ｂ）は、２枚目の調整プレート３を１枚目の調整プレート３に結合させようとしている状態、図５（Ｃ）は、３枚目の調整プレート３を２枚目の調整プレート３に結合させようとしている状態、図５（Ｄ）は、鴨居７０に固定された跳ね上げ抑制部材１が当該鴨居７０の案内溝７１の溝底と戸首部材２０との間の隙間に介設された状態をそれぞれ示している。
【００５６】
跳ね上げ抑制部材１を鴨居７０の下面側に取り付けるには、まず、図５（Ａ）に示すように、取り付けプレート２を鴨居７０の案内溝７１の溝底に沿わせ、かつ、その長手方向の一方の端縁を案内溝７１の端壁に当接させた状態にする。引き続き取り付けプレート２の円錐台孔２ａに貫通させたネジＮを鴨居７０の所定位置にねじ込むことによって当該取り付けプレート２を鴨居７０に固定する。かかる簡単な操作で取り付けプレート２を位置決め状態で鴨居７０に容易に取り付けることができ、現地作業の作業性を向上させることができる。
【００５７】
ついで、この状態の取り付けプレート２の下面側に１枚目の調整プレート３を積層するのであるが、このとき、取り付けプレート２の円錐台孔２ａに調整プレート３の中央部貫通孔３ａを対向させた状態で、さらに取り付けプレート２の内側嵌入円孔２ｂおよび外側嵌入円孔２ｃにそれぞれ調整プレート３の円柱突起５を対向させる。
【００５８】
この状態で調整プレート３を、図５（Ａ）に矢印で示すように、下から取り付けプレート２に押し付けることにより、各円柱突起５の頭部５ｂがそれぞれ内側および外側の嵌入円孔２ｂ，２ｃに摺接状態で嵌入し、これによって１枚目の調整プレート３は、図５（Ｂ）に示すように、取り付けプレート２に結合される。
【００５９】
ついで、図５（Ｂ）に矢印で示すように、２枚目の調整プレート３を１枚目の調整プレート３の下面側に押し付ける。このとき、２枚目の調整プレート３は、平面視で１８０°回わされ（反転され）、これによって２枚目の調整プレート３の各円柱突起５は、１枚目の調整プレート３の内外の嵌入円孔２ｂ，２ｃに対向した状態になっている。従って、２枚目の調整プレート３の円柱突起５の頭部５ｂは、それぞれ１枚目の調整プレート３の内外の嵌入孔３ｃ，３ｄに摺接状態で嵌入され、これによって２枚目の調整プレート３が、図５（Ｃ）に示すように、１枚目の調整プレート３に結合された状態になる。
【００６０】
引き続き、３枚目の調整プレート３についても２枚目の調整プレート３の場合と同様に、図５（Ｃ）に矢印で示すように、２枚目の調整プレート３に押し付けられ、３枚目の調整プレート３の各円柱突起５の頭部５ｂが２枚目の調整プレート３の内外の嵌入孔３ｃ，３ｄに嵌入される。
【００６１】
これによって、図５（Ｄ）に示すように、跳ね上げ抑制部材１が鴨居７０に取り付けられた状態になる。そして、引き続き引戸９０が閉じられることにより、戸首部材２０が跳ね上げ抑制部材１の下方に位置すると、跳ね上げ抑制部材１が鴨居７０の案内溝７１の溝底と戸首部材２０との間の隙間に介設された状態になる。
【００６２】
因みに、跳ね上げ抑制部材１は、その長さ寸法が引戸９０の移動をコイルスプリング５０の付勢力でアシストする前記アシスト長さより長く設定されているため、コイルスプリング５０の付勢力が戸本体９１に作用する前に引戸９０の戸首部材２０は跳ね上げ抑制部材１の下部に潜り込んだ状態になる。従って、コイルスプリング５０の付勢力で引戸９０の進行方向の先端がたとえ跳ね上がっても、戸首部材２０は、そのときにはすでに跳ね上げ抑制部材１の下方に潜り込んだ状態になっているため、引戸９０の跳ね上がりは、跳ね上げ抑制部材１によって確実に抑制される。
【００６３】
ついで、図６は、跳ね上げ抑制部材１の鴨居７０に対する第２の取り付け方法を説明するための説明図であり、図６（Ａ）は、予め組み付けられた跳ね上げ抑制部材１が鴨居７０の所定の位置に当接された状態、図６（Ｂ）は、跳ね上げ抑制部材１を鴨居７０にねじ止めしつつある状態、図６（Ｃ）は、跳ね上げ抑制部材１が鴨居７０の案内溝７１の溝底と戸首部材２０との間の隙間に介設された状態をそれぞれ示している。
【００６４】
第２の取り付け方法にあっては、予め互いに結合された３枚の調整プレート３が取り付けプレート２に結合されて跳ね上げ抑制部材１がまず形成される。この予め形成された跳ね上げ抑制部材１は、まずその端部が案内溝７１の端壁に当接された状態とされる。引き続き、跳ね上げ抑制部材１は、取り付けプレート２の円錐台孔２ａが、鴨居７０に予め設けられている装着孔７２（鴨居７０が木材の場合は錐等で穿設された穿設孔であり、鴨居７０が金属製の場合は、予め螺設されたネジ孔）に対向された状態で、ネジＮが、図６（Ａ）に矢印で示すように、各調整プレート３の中央部貫通孔３ａおよび取り付けプレート２の円錐台孔２ａを介して装着孔７２に向かわされる。
【００６５】
ネジＮの先端が、図６（Ｂ）に示すように、装着孔７２に到達すると、ネジＮは、ドライバー等の工具によって装着孔７２にねじ込まれ、これによって跳ね上げ抑制部材１は、図６（Ｃ）に示すように、鴨居７０に取り付けられることになる。
【００６６】
そして、跳ね上げ抑制部材１が鴨居７０に装着された後に、引き続き引戸９０が閉じられることにより、戸首部材２０が跳ね上げ抑制部材１の下方に位置すると、跳ね上げ抑制部材１が鴨居７０の案内溝７１の溝底と戸首部材２０との間の隙間に介設された状態になる。
【００６７】
このような跳ね上げ抑制部材１は、本実施形態においては、スライドアシスト装置１０が適用された引戸装置に適用される。
【００６８】
以下、かかる引戸のスライドアシスト装置１０について、図７〜図１０を基に必要に応じて図１も参照しながらさらに詳細に説明する。図７は、左側の戸首部材２０を示す一部切り欠き分解斜視図であり、図８および図９はその組み立て斜視図である。そして、特に図８は、引戸９０が閉止された状態、図９は、引戸９０が開放された状態をそれぞれ示している。図８および図９における円外にはトリガー６０を図示していない代わりに、円内にはトリガー６０と舌片４９２との相対的な位置関係を示している。また、図１０は、図８の円内の図のＸ−Ｘ線断面図である。なお、図７〜図１０においてＸおよびＹによる方向表示は、図１の場合と同様（−Ｘ：左方、＋Ｘ：右方、−Ｙ：前方、＋Ｙ：後方）である。
【００６９】
さらに、図７〜図１０においては、左右対称に一対で設けられた戸首部材２０およびトリガー６０の内の左側のもののみを示している。右側のものは、左側のものと左右対称に形成されていることを除いてその構成は左側のものと同一である。そして、左側の戸首部材２０は、引戸９０を閉じるときに当該閉止操作をアシストし、右側の戸首部材２０は、引戸９０を開くときに当該開放操作をアシストする。
【００７０】
まず図７に示すように、本実施形態に係る引戸のスライドアシスト装置１０は、戸本体９１の上縁部の左右対称位置に取り付けられる左右一対の戸首部材２０と、この戸首部材２０に対応して前記鴨居７０の案内溝７１の前方内壁７３に設けられた左右一対のトリガー６０とを備えている。
【００７１】
一対のトリガー６０は、引戸９０を開閉するに際し、一対の戸首部材２０の内の対応した方の後述する舌片４９２と係合させるためのものであり、鴨居７０の案内溝７１の前方内壁７３（図１０）の左右対称位置にそれぞれ取り付けられている。
【００７２】
前記戸首部材２０は、第１エッジブロック２２および第２エッジブロック２３がそれぞれの端部に嵌め込まれる角筒体３０と、この角筒体３０に内装されるショックアブソーバ４０と、このショックアブソーバ４０と平行に角筒体３０に内装されるコイルスプリング５０と、前記ショックアブソーバ４０およびコイルスプリング５０を介して前記第２エッジブロック２３と対向配置され、かつ、角筒体３０内で移動可能に内装されたスライドブロック（スライド部材）４５と、このスライドブロック４５に装着され、かつ、引戸９０の開閉操作で前記トリガー６０と係合したり係合が解除されたりする舌片４９２とを備えて構成されている。前記ショックアブソーバ４０は、長さ寸法が角筒体３０の左右方向の寸法の略半分に設定されている。
【００７３】
そして、本実施形態におけるバネ力伝達機構は、鴨居７０に設けられたトリガー６０と、コイルスプリング５０のフリー端部側に取り付けられたスライドブロック４５と、このスライドブロック４５に取り付けられた引戸９０の移動範囲内の所定の範囲でトリガー６０と係合する引掛け部材４９とを備えて構成されている。
【００７４】
前記第１エッジブロック２２は、図７に示す角筒体３０の左端部に装着されるものであり、角筒体３０に内嵌される略直方体条のブロック本体２２１と、このブロック本体２２１の左端面から左方へ向けて延設されたブロック本体２２１より若干大きい食み出しブロック２２２と、ブロック本体２２１の右端面から右方へ向かって突設された平面視でＬ字状を呈する台座ブロック２２３とを備えている。
【００７５】
前記ブロック本体２２１は、四囲が角筒体３０の内壁面に当接状態で角筒体３０に内装される。かかるブロック本体２２１には、上下の面にネジ孔２２１ａが螺設され、角筒体３０を貫通したネジＳがこれらのネジ孔２２１ａに螺着されることにより、第１エッジブロック２２が角筒体３０に固定される。
【００７６】
前記食み出しブロック２２２は、左右方向から見た形状が角筒体３０の端面視の形状と同一に設定され、これによって第１エッジブロック２２が角筒体３０に内嵌された状態で食み出しブロック２２２の周面は角筒体３０の周面と面一になる。かかる食み出しブロック２２２には、上下方向に延びた貫通孔２２２ａが穿設され、この貫通孔２２２ａにネジＳが挿通されて引戸９０の上面に螺設された図略のネジ孔に螺着されて締結されることにより、戸首部材２０の左端部が引戸９０に固定されるようになっている。
【００７７】
前記台座ブロック２２３は、引掛け部材４９の後面側を受けるものであり、ブロック本体２２１の前後方向の略中央部から右方へ向かって突設された受台２２３ａと、この受台２２３ａの右縁部から後方へ向かって折り返された状態の脚部２２３ｂとからなっている。脚部２２３ｂの後縁部は、角筒体３０の後方内壁面に当止されるように寸法設定されている。
【００７８】
前記第２エッジブロック２３は、ショックアブソーバ４０およびコイルスプリング５０の右端部を取り付けるためのものである。かかる第２エッジブロック２３は、内壁面に当接状態で角筒体３０に嵌入されるように寸法設定され、二股片２９の左端面から一体的に延設されている。かかる第２エッジブロック２３には、その左面下部位置にショックアブソーバ４０の右端部を嵌入するための円孔２３１が凹設されているとともに、この円孔２３１の上方位置には、上方に向かって突設された左右方向から見てＹ字状のＹ字片２３２が設けられている。このＹ字片２３２は、コイルスプリング５０の右端部を係止するためのものである。
【００７９】
また、第２エッジブロック２３の上下の面には、上下方向に延びたネジ孔２３３がそれぞれ螺設されている。そして、第２エッジブロック２３が右面開口から角筒体３０内へ差し込まれた状態で、角筒体３０を貫通したネジＳをネジ孔２３３に螺着して締結することにより、第２エッジブロック２３が角筒体３０に固定される。
【００８０】
さらに、第２エッジブロック２３には、前記円孔２３１に対応した位置に、当該円孔２３１を横断した状態でかしめ孔２３４が穿設されている。このかしめ孔２３４は、ショックアブソーバ４０の右端部が円孔２３１に嵌入された状態で、当該ショックアブソーバ４０を貫通するピンＰを通して当該ピンＰにかしめ処理を施させるためのものである。
【００８１】
一方、第２エッジブロック２３と一体の前記二股片２９には、上下方向に延びた貫通孔２９２が穿設され、ネジＳをこの貫通孔２９２を通して引戸９０の上縁面に螺設された図略のネジ孔に螺着し締結することで戸首部材２０の右端部が引戸９０に固定されることになる。
【００８２】
前記角筒体３０は、金属板を端面視でコ字状を呈する前面側が開放状態の第１アングル材３１と、この第１アングル材３１に全長に亘って前方から外嵌される後面側が開放状態の端面視でコ字状を呈する第２アングル材３２とからなっている。
【００８３】
前記第１アングル材３１には、その上下の横板３１４における前後のエッジブロック２２，２３の各ネジ孔２２１ａ，２３３に対応した位置にネジ孔３１５がそれぞれ螺設されているとともに、前記第２アングル材３２には、その上下の横板３２３における前後の前記ネジ孔３１５に対応した位置にはネジＳを挿通して前記第２エッジブロック２３のネジ孔２３３に螺着させるための挿通孔３２４がそれぞれ穿設されている。
【００８４】
従って、第１アングル材３１に第２アングル材３２を外嵌して角筒体３０を形成させた状態で、当該角筒体３０の左端部に第１エッジブロック２２のブロック本体２２１を嵌め込むとともに、角筒体３０の右端部に第２エッジブロック２３を嵌め込んだ状態で、ネジＳを角筒体３０の前後の挿通孔３２４およびネジ孔３１５を介して第１エッジブロック２２のネジ孔２２１ａおよび第２エッジブロック２３のネジ孔２３３にそれぞれ螺着することによって、第１アングル材３１および第２アングル材３２が一体化されるとともに、角筒体３０に第１および第２エッジブロック２２，２３が固定される。
【００８５】
そして、本実施形態においては、左右方向へ延びるガイドスリット３３およびこのガイドスリット３３に連設された上下幅寸法がガイドスリット３３のそれより広い角孔３４が第２アングル材３２の縦板３２１側に設けられている。ガイドスリット３３は、第２アングル材３２の縦板３２１の左右方向の中央部より若干左方位置を始点にして左方へ延びるように設けられている。角孔３４は、かかるガイドスリット３３の左端部に連設されている。角孔３４は、縦板３２１の略全上下幅に亘るように大きく形成されている。
【００８６】
前記ショックアブソーバ４０は、図８に示すように、前記角筒体３０に内装されるものであり、角筒体３０内で左方側に配設される内筒体４１と、この内筒体４１に摺接状態で右方から外嵌される外筒体４２とを備えている。かかるショックアブソーバ４０は、スライドアシスト装置１０による引戸９０の開閉操作のアシスト時に、当該引戸９０が急激に移動するのを緩衝して穏やかにアシストさせるためのものである。
【００８７】
かかる緩衝作用のために、ショックアブソーバ４０の適所に図略の一方弁が設けられ、内筒体４１が外筒体４２から引き出されるときは、当該一方弁が開放して空気がショックアブソーバ４０内に容易に吸入される一方、内筒体４１が外筒体４２に押し込まれるときは当該一方弁が半開状態とされ、これによる気流に対する大きな抵抗の付与で内筒体４１の外筒体４２への押し込み速度が緩やかになるようになされている。
【００８８】
前記内筒体４１の左端部には、挿通孔４１６ａの穿設された第１ブラケット４１６が設けられているとともに、外筒体４２の右端部には、挿通孔４２６ａの穿設された第２ブラケット４２６が設けられている。第１ブラケット４１６の挿通孔４１６ａは、ピンＰを通してスライドブロック４５に内筒体４１を連結するためのものである。
【００８９】
また、第２ブラケット４２６の挿通孔４２６ａは、外筒体４２の右端部を第２エッジブロック２３の円孔２３１に嵌入した状態で、かしめ孔２３４に差し通されたピンＰを挿通させるものであり、こうすることで外筒体４２の右端部が第２エッジブロック２３に固定される。
【００９０】
前記コイルスプリング５０は、第２エッジブロック２３とスライドブロック４５との間に介設されてスライドブロック４５に付勢力を付与するためのものである。かかるコイルスプリング５０の各端部には、円形係止片５５が同心で固定されている。これらの円形係止片５５の左方のものがスライドブロック４５に係止されるとともに、右方のものが第２エッジブロック２３に係止され、これによってコイルスプリング５０がスライドブロック４５および第２エッジブロック２３間に張設されるようになっている。
【００９１】
前記スライドブロック４５は、引戸９０の開閉動作をアシストするべく、当該アシスト力（具体的にはコイルスプリング５０の付勢力）を蓄積するとき、および蓄積されたアシスト力（コイルスプリング５０の付勢力）を引戸９０の開閉動作に与えるときに角筒体３０内を摺動するものである。
【００９２】
かかるスライドブロック４５は、直方体状を呈したブロック基体４５１と、このブロック基体４５１の左前方角部の上下方向の中央部が切り欠かれることによって形成された上下一対の軸支板４５２と、これら一対の軸支板４５２間の右方位置でブロック基体４５１から前方に向かって突設された突設片４５３と、ブロック基体４５１の右端部に形成された二股部分の隙間が上下方向へ延びて上部が開放状態のＹ字片４５４とを備えている。
【００９３】
前記一対の軸支板４５２に引掛け部材４９を装着するための装着空間４６が形成されている。かかる一対の軸支板４５２には、その前方左角部に上下方向に延びたかしめ孔４５２ａがそれぞれ穿設されている。そして引掛け部材４９の適所が装着空間４６に嵌め込まれた状態で、引掛け部材４９を貫通するようにかしめ孔４５２ａにピンＰを差し込み、かしめ止めすることで引掛け部材４９がスライドブロック４５に装着された状態になる。
【００９４】
前記突設片４５３は、上下寸法が前記ガイドスリット３３の上下寸法より僅かに短めに設定され、これによってスライドブロック４５が角筒体３０に内装された状態で、ガイドスリット３３から前方に向かって外部に突出するようになされている。
【００９５】
本実施形態のスライドブロック４５は、突設片４５３が設けられているため、引戸９０を急激に開閉操作した場合、この突設片４５３がトリガー６０の係合条６６と係合し、これによってスライドブロック４５の急激な移動がショックアブソーバ４０の作用で抑えられるため、結果として引戸９０の急激な開閉を抑制することができる。
【００９６】
前記Ｙ字片４５４は、コイルスプリング５０の左の円形係止片５５を係止するためのものであり、当該円形係止片５５の軸の部分をＹ字片４５４の隙間に嵌め込むことでコイルスプリング５０は、その左端がスライドブロック４５に装着される。一方、コイルスプリング５０の右端部の円形係止片５５は、前記のように第２エッジブロック２３のＹ字片２３２に係止される。左右の円形係止片５５がスライドブロック４５および第２エッジブロック２３の各Ｙ字片４５４，２３２に係止されることにより、コイルスプリング５０がスライドブロック４５および第２エッジブロック２３間に介設された状態になる。
【００９７】
また、ブロック基体４５１には、その右端面における第２エッジブロック２３の前記円孔２３１に対向した位置に内筒体４１の左端部を嵌め込むための円孔４５５が凹設されているとともに、この円孔４５５を横断するように前後方向へ延びたかしめ孔４５６が穿設されている。そして、内筒体４１の左端部が円孔４５５に嵌入された状態で、ピンＰがかしめ孔４５６および第１ブラケット４１６の挿通孔４１６ａにそれぞれ嵌入してかしめ止めされることにより、内筒体４１がスライドブロック４５に連結される。
【００９８】
前記引掛け部材４９は、スライドブロック４５に装着された状態で、引戸９０の開閉動作に応じ（具体的には、左側のスライドアシスト装置１０については引戸９０の閉止操作時、右側のスライドアシスト装置１０については、引戸９０の開放操作時）トリガー６０と係合してスライドブロック４５の鴨居７０に対する相対移動を阻止するためのものである。
【００９９】
かかる引掛け部材４９は、平面視で左方に向かって先細りに形成された三角形状を呈する三角ブロック４９１と、この三角ブロック４９１の前面左半分の部分に固定された平面視で左方へ向かって先細りの舌片４９２とを備えている。前記三角ブロック４９１は、スライドブロック４５の一対の軸支板４５２間に形成された前記装着空間４６に装着されるものであり、上下寸法が装着空間４６の上下寸法より僅かに小さめに設定されている。
【０１００】
かかる三角ブロック４９１は、左右方向の略中央部に上下方向に延びた前記かしめ孔４５２ａの対応する挿通孔４９１ａが穿設されている。そして、ピンＰがこれらかしめ孔４５２ａおよび挿通孔４９１ａに貫通された状態でかしめ止めされることにより、引掛け部材４９がピンＰ回りに回動可能に軸支された状態でスライドブロック４５に装着される。
【０１０１】
前記舌片４９２は、上下寸法がガイドスリット３３の上下寸法より長く、かつ、角孔３４の上下寸法より短く設定されているとともに、左右寸法が角孔３４の左右寸法より若干短めに設定されている。そして、舌片４９２がガイドスリット３３の範囲内にあるときは、当該舌片４９２は、図８に示すように、ガイドスリット３３から角筒体３０の外部に突出した状態になっている。
【０１０２】
この状態で、舌片４９２の右角部４９２ａが、図８の円内に示すように、トリガー６０の後述の係合条６６に当接している。従って、この状態で引戸９０を開放するべく右方へ移動させると、舌片４９２の右角部４９２ａが係合条６６に当止してスライドブロック４５がこれ以上右方へ移動しなくなるため、スライドブロック４５がその位置に残ったまま角筒体３０のみが右方へ移動することになる。この移動によってコイルスプリング５０は伸張し、付勢力が蓄積されていく。
【０１０３】
そして、引戸９０の開放操作を継続すると、ついには舌片４９２がガイドスリット３３を相対的に通り越して角孔３４へ到達する。この角孔３４へ到達した舌片４９２は、その傾斜面４９２ｂが角孔３４の左縁部と係合して当該傾斜面４９２ｂが角孔３４の左縁部に誘導され、図９に示すように、ピンＰ回りに時計方向へ回動して角筒体３０内へ没入する。
【０１０４】
そして、角筒体３０内へ没入した舌片４９２は、その右角部４９２ａが角孔３４の右縁部と係合しているため、コイルスプリング５０は伸張状態を維持したまま、舌片４９２が係合条６６を通過して戸首部材２０はさらに右方へ移動することができる。
【０１０５】
逆に、閉止された引戸９０を開放していくとき（すなわち、引戸９０を左方へ移動させるとき）は、引戸９０がある程度開放された状態で引掛け部材４９の三角ブロック４９１の前方右縁部４９１ｂが係合条６６と係合し、これによって引掛け部材４９がピンＰ回りに反時計方向に回動して舌片４９２が角孔３４から外部へ抜け出す。これによりコイルスプリング５０の付勢力で引掛け部材４９がガイドスリット３３を相対的に右方へ移動しつつ引戸９０がコイルスプリング５０の付勢力によって開放されることになる。
【０１０６】
ところで、この種のアシスト装置にあっては、引掛け部材４９の舌片４９２がトリガー６０の係合条６６と係合し損なって適正にコイルスプリング５０を伸張し得なくなったり、あるいはコイルスプリング５０の付勢力をスライドアシスト力として付与することができなくなったりするなど、スライドアシスト装置１０として正常に機能し得なくなるような場合がある。
【０１０７】
また、引戸９０を閉めきったり開ききったりしたとき、係合姿勢から解除姿勢に姿勢変更しなければならないはずの舌片４９２が、係合姿勢のままになっているような場合もある。このような場合、従来の装置では、引戸９０を鴨居７０から外してスライドアシスト装置１０を調整する必要があった。
【０１０８】
そこで、引掛け部材４９の下部を、図１０に示すように、鴨居７０の案内溝７１から下方へ向けて突出させるように構成することで、舌片４９２の下端部が鴨居７０から外部に露出しているので、舌片４９２が正常に動作しなくなったような場合、これを一別することができるとともに、誤動作が生じている場合には、舌片４９２の露出している部分を手で操作することにより簡単に正常な状態に調整することができるようになった。
【０１０９】
前記トリガー６０は、引戸９０の開閉操作時に引掛け部材４９の舌片４９２と係合させるためのものであり、引戸９０が開放されたり閉止されたりしたときに、舌片４９２とスライドブロック４５の突設片４５３との間に位置するように前方内壁７３の側に取り付けられている。
【０１１０】
かかるトリガー６０は、金属板を所定の形状にプレス処理することによって形成され、左右方向から見て１段の階段状に形成されており、図７に示すように、板状の上部ブラケット片６４と、この上部ブラケット片６４より下方位置に位置設定される下部ブラケット片６５と、上部ブラケット片６４の前縁部と下部ブラケット片６５の後縁部との間に架設された上下方向に延び、かつ、後方へ向けて膨出した係合条６６とを備えている。係合条６６は、上下寸法が鴨居７０の案内溝７１の前方内壁７３の上下長と同一に設定されている。
【０１１１】
また、上部および下部ブラケット片６４，６５には、それらの中央部に貫通孔６７がそれぞれ穿設されている。そして、上部ブラケット片６４が鴨居７０の案内溝７１の溝底（天面）に当接されるとともに、下部ブラケット片６５が鴨居７０の案内溝７１より前方の下面に当接された状態で、それぞれの貫通孔６７，６７に木ネジＭを差し通して鴨居７０へねじ込むことにより、トリガー６０が、図７に示すように、鴨居７０に固定される。
【０１１２】
以下、図１１および図１２を基に、本実施形態に係るスライドアシスト装置１０の作用について説明する。図１１および図１２は、スライドアシスト装置１０の作用を説明するための平面視の一部断面説明図であり、図１１（Ａ）は、引戸９０が閉止されることによって舌片４９２が係合姿勢に姿勢設定されたスライドアシスト装置１０が最左端に位置した状態、図１１（Ｂ）は、引戸９０の開放動作によってコイルスプリング５０が伸張しつつある状態、図１１（Ｃ）は引戸９０が所定距離だけ移動したことにより引掛け部材４９の舌片４９２が角孔３４に到達してピンＰ回りに時計方向に回動して解除姿勢に姿勢変化し、角孔３４を介して角筒体３０内へ没入した状態、図１１（Ｄ）は、解除姿勢に姿勢設定された舌片４９２がトリガー６０の係合条６６を遣り過ごしてコイルスプリング５０の付勢力を維持したまま引戸９０が開放動作を継続している状態をそれぞれ示している。
【０１１３】
また、図１２（Ａ）は、一旦開放された引戸９０を閉止操作することにより、引掛け部材４９の三角ブロック４９１の前方右縁部４９１ｂがトリガー６０の係合条６６に係合した状態、図１２（Ｂ）は、舌片４９２が角孔３４から抜け出して解除姿勢から係合姿勢へ姿勢変化し、これによって舌片４９２の右角部４９２ａが係合条６６に係合した状態をそれぞれ示している。なお、図１１および図１２におけるＸおよびＹによる方向表示は図１の場合と同様（−Ｘ：左方、＋Ｘ：右方、−Ｙ：前方、＋Ｙ：後方）である。
【０１１４】
まず、図１１（Ａ）に示すように、引戸９０が閉止された状態では、引掛け部材４９の舌片４９２はガイドスリット３３から前方へ突出した係合姿勢に設定され、かつ、舌片４９２の右角部４９２ａがトリガー６０の係合条６６に係合した状態になっている。このとき、コイルスプリング５０は、付勢力が略発生しない最小長さになっている。
【０１１５】
この状態で引戸９０を右方へ移動させて開放していくと、舌片４９２は、その右角部４９２ａがトリガー６０の係合条６６と係合していて右方へ移動することができないため、結局、図１１（Ｂ）に示すように、スライドブロック４５がこの位置に残留したまま角筒体３０のみが右方へ移動していくことになる。従って、角筒体３０のこの移動により、コイルスプリング５０が伸張していき、付勢力が蓄積されていく。
【０１１６】
そして、角筒体３０の移動が進行して舌片４９２が角孔３４に対応した状態になると、舌片４９２の右角部４９２ａが係合条６６によって左方へ向かって相対的に押圧されているとともに、傾斜面４９２ｂの左端部が角孔３４の左縁部に案内されるため、舌片４９２は、ピンＰ回りに時計方向へ向けて回動し、これによって、図１１（Ｃ）に示すように、角孔３４を介して角筒体３０内に没入した解除姿勢へ姿勢変更する。
【０１１７】
ついで、解除姿勢に姿勢変更された舌片４９２は、コイルスプリング５０の付勢力で右方へ引っ張られ、舌片４９２の右角部４９２ａが角孔３４の右縁の前後の部分に当止する（図１１（Ｄ））。これによってスライドブロック４５は、角筒体３０に対し相対的に右方へ向けて移動し得なくなっているとともに、コイルスプリング５０は、最大の付勢力が保持された状態になっている。解除姿勢に姿勢設定された舌片４９２は、係合条６６との係合状態が解除されるため、引戸９０は、図１１（Ｄ）に示すように、舌片４９２が係合条６６を遣り過ごしつつ開放することができる。
【０１１８】
そして、一旦開放された引戸９０を左方へ移動させて開けていくと、今度は、図１２（Ａ）に示すように、三角ブロック４９１の前方右縁部４９１ｂが係合条６６に干渉し、これによって舌片４９２は、ピンＰ回りに反時計方向に向けて回動して係合条６６に対する解除姿勢から係合条６６に係合する係合姿勢へと姿勢変更する（図１２（Ｂ））。
【０１１９】
そして、舌片４９２は、この姿勢変更によって角孔３４から抜け出し、当該舌片４９２の右角部４９２ａが角孔３４の右縁部へ係止されていた状態が解消されるため、引掛け部材４９は、その三角ブロック４９１がガイドスリット３３に入り込み得るようになる。
【０１２０】
そして、図１２（Ｂ）に示すように、舌片４９２が係合条６６に係合し、且つ、三角ブロック４９１がガイドスリット３３に入り込んだ状態では、弾性変形で伸張しているコイルスプリング５０の付勢力は、角筒体３０を左方へ移動させるように作用するため、結果として引戸９０は、スライドアシスト装置１０のアシストにより角筒体３０を介し左方へ自動的に移動して閉止される。
【０１２１】
本実施形態に係るスライドアシスト装置１０に関し、図７〜図１２では、引戸９０を閉じるときにアシストする引戸９０の左側に設けられるものを例に挙げて説明したが、右側のものは、左側のものと左右対称に形成され、引戸９０を開放するときにアシストするようになされている以外、構成および作用効果の点で左側のものと同様である。
【０１２２】
そして、本実施形態に係る引戸装置１００においては、鴨居７０の案内溝７１の溝底（天井面）の左右端部に、図１および図１０に示すように、本実施形態に係る跳ね上げ抑制部材１が取り付けられている。鴨居７０の案内溝７１の溝底に跳ね上げ抑制部材１が設けられる理由は、以下のとおりである。すなわち、引戸９０が開閉操作されるときであって、コイルスプリング５０の付勢力が作用した状態になっているときには、コイルスプリング５０の付勢力によって当該引戸９０の上部が引っ張られるため、引戸９０は、閉止直前または全開直前に進行方向に向けて前屈みに傾き加減になる。
【０１２３】
一方、引戸９０の戸首の上面と鴨居７０の案内溝７１の溝底（天井面）との間には、通常隙間が存在する。従って、コイルスプリング５０によって前屈み状態の引戸９０が開閉されて戸枠に衝突したとき、当該引戸９０は、その反動で進行方向の先端が前記隙間の方向に向けて大きく跳ね上がり、安定した開閉操作が困難になるという不都合が生じる。かかる不都合を解消するべく、鴨居７０の案内溝７１の溝底の左右の端部に跳ね上げ抑制部材１が取り付けられるのである。
【０１２４】
以下、図１３を基に、必要に応じて他の図面も参照しながら、跳ね上げ抑制部材１が鴨居７０の案内溝７１の左右の端部の溝底に設けられることによる作用について説明する。図１３は、当該作用を判り易く説明するために示した説明図であり、図１３（Ａ）は、引戸９０が前屈しながら閉止されつつある状態、図１３（Ｂ）は、引戸９０が完全に閉じられた状態をそれぞれ示している。なお、図１３におけるＸによる方向表示は、図１の場合と同様（−Ｘ：左方、＋Ｘ：右方）である。また、図１３では、引戸９０が閉じられるときを例に挙げて示しているが、引戸９０が開かれるときも同様であるため開かれるときの図示および説明は省略する。
【０１２５】
まず開放されていた引戸９０が閉じられ始めるときには、図９および図１１（Ｄ）に示すように、引掛け部材４９の舌片４９２の三角ブロック４９１の右角部４９２ａが角孔３４の右縁部に係止されているため、引戸９０にコイルスプリング５０の付勢力が作用しない状態になっている。
【０１２６】
ついで、引戸９０の左方へ向かう閉止の進行によって引掛け部材４９の三角ブロック４９１の前方右縁部４９１ｂ（図７）が、図１３（Ａ）に示すように、トリガー６０の係合条６６に干渉すると、三角ブロック４９１は、図１２（Ａ）および図１２（Ｂ）に示すように、ピンＰ周りに回動し、これによって舌片４９２の右角部４９２ａの角孔３４右縁部に対する係合が解除される。これにより舌片４９２の右角部４９２ａが鴨居７０と一体のトリガー６０の係合条６６に係合するとともに、引掛け部材４９は、ガイドスリット３３に案内されつつ角筒体３０に対して左方へ向けて移動可能になる。
【０１２７】
従って、以後、引戸９０は、コイルスプリング５０の付勢力によって左方へ向かう閉止動作がアシストされることになるのであるが、その前に突設片４５３が係合条６６に衝突したとき、当該突設片４５３の上下方向に延びる前方縁部は、係合条６６に対し、図１３（Ａ）に示すように、上部が左方へ向かった状態の斜めになっていて、まず最初にその上縁部が係合条６６に衝突するため、引戸９０には図１３（Ａ）に点線矢印で示すように、時計方向へ向かうモーメントが作用し、これによって引戸９０は、その左端上部が鴨居７０の案内溝７１の溝底へ向かうことになる。
【０１２８】
従って、案内溝７１の溝底に跳ね上げ抑制部材１が設けられていない場合には、引戸９０がコイルスプリング５０の付勢力で閉止されるに際し、引戸９０の左端上角部が上方へ跳ね上がり、案内溝７１の溝底と衝突して騒音を発したりするという不都合が生じるのであるが、本実施形態においては、鴨居７０の案内溝７１の左端部の溝底に跳ね上げ抑制部材１が設けられているため、引戸９０の跳ね上がりは、図１３（Ｂ）に示すように跳ね上げ抑制部材１によって阻止される。これにより、引戸９０を、跳ね上がらせない状態でスムーズに閉じることができる。
【０１２９】
以上詳述したように、本実施形態に係る跳ね上げ抑制部材１は、鴨居７０と、この鴨居７０に対向配置された敷居８０との間に介設される引戸９０の戸首部材２０と鴨居７０の案内溝７１の溝底との間の隙間を埋めるためのものであり、案内溝７１の溝底に固定される取り付けプレート２と、この取り付けプレート２に着脱可能に積層される複数枚の調整プレート３と、取り付けプレート２および調整プレート３間並びに各調整プレート３間を互いに着脱可能に結合する結合構造４とを備えている。
【０１３０】
かかる構成の跳ね上げ抑制部材１によれば、鴨居７０の案内溝７１の溝底と戸首部材２０との間に形成された隙間を埋めるべく、当該隙間寸法に応じて調整プレート３の積層枚数を結合構造４を介して任意に設定することができ、隙間を埋めるための跳ね上げ抑制部材１の厚さ設定の自由度を向上させることができる。また、従来のように各種の隙間寸法に合わせてそれぞれ所定の厚みを有する複数種類の跳ね上げ抑制部材を予め用意しておく必要がなくなり、その分跳ね上げ抑制部材の製造コストの低減化に貢献することができるとともに、現地施工の施工性を向上させることができる。
【０１３１】
そして、取り付けプレート２はスライドアシスト装置１０によるアシスト長さよりも長く形成されているため、取り付けプレート２の一端を、鴨居７０の案内溝７１内の左右方向の端壁に突き合わせることにより、取り付けプレート２を案内溝７１内で確実に位置決めすることができる。従って、取り付けプレート２の構造物への装着に当たり、各部材の相対的な位置関係を考慮する必要がなくなり、現場での跳ね上げ抑制部材１の取り付け作業の作業性を大幅に向上させることができる。
【０１３２】
また、取り付けプレート２および調整プレート３の長さ寸法は、スライドアシスト装置１０におけるアシスト長さ寄りも長く、かつ、アシスト長さの１．５倍よりも短く形成されているため、跳ね上げ抑制部材１が長過ぎることによるコストアップを抑えた上で、引戸９０の進行方向の上縁部が跳ね上げ抑制部材１により確実に捕らえることができる。
【０１３３】
また、本実施形態に係る結合構造４は、調整プレート３の一面側に設けられた２つの円柱突起５と、この２つの円柱突起５に対応するように穿設された当該円柱突起５が摺接状態で嵌り込み得る２つの嵌入孔（内側および外側嵌入孔３ｃ，３ｄ）と、円柱突起５に対応して取り付けプレート２に穿設された内側および外側嵌入円孔２ｂ，２ｃとを備えて構成されている。
【０１３４】
結合構造４をこのように構成すれば、一の調整プレート３の内側および外側嵌入孔３ｃ，３ｄに対し、他の調整プレート３の円柱突起５を順次嵌め込んで行くことにより、複数枚の調整プレート３を積層状態で結合することができる。また、調整プレート３の円柱突起５を取り付けプレート２の内側および外側嵌入円孔２ｂ，２ｃに嵌め込むことによって調整プレート３を取り付けプレート２に結合することができ、調整プレート３の枚数を調節することで所望の厚み寸法の跳ね上げ抑制部材１を容易に得ることができる。このように結合構造４を、円柱突起５と内側および外側嵌入孔３ｃ，３ｄとで構成することにより、簡単な構造でありながら跳ね上げ抑制部材１の厚さ寸法を容易に変更することができる。
【０１３５】
また、取り付けプレート２には、当該取り付けプレート２を鴨居７０に固定するための円錐台孔２ａが貫設されているとともに、調整プレート３には、円錐台孔２ａに対応した位置に中央部貫通孔３ａが穿設されている。
【０１３６】
従って、取り付けプレート２に所定枚数が積層された調整プレート３を結合した状態で、調整プレート３の中央部貫通孔３ａおよび取り付けプレート２の円錐台孔２ａにネジＮを差し通し、鴨居７０の案内溝７１の溝底に螺着締結することにより、跳ね上げ抑制部材１が鴨居７０に固定される。このように、取り付けプレート２に円錐台孔２ａを貫設するとともに、調整プレート３に円錐台孔２ａに対応した中央部貫通孔３ａを穿設することによって、跳ね上げ抑制部材１の鴨居７０への取り付け作業を容易に行うことができる。
【０１３７】
そして、特に調整プレート３における円柱突起５と嵌入円孔３ｃ，３ｄとは、両者が同一の位置関係を保持しつつ複数組が、長手方向に延びる中心線上において、等ピッチで設けられているため、平置きされた１枚の調整プレート３に対し他の１枚の調整プレート３を平面視で１８０°回動させるようにして複数の調整プレート３をそれぞれ互い違いに積層していくことにより、各円柱突起５を相手方の嵌入円孔３ｃ，３ｄにそれぞれ嵌り込ませることができ、結果として１種類の調整プレート３で済ませることができるため、複数種類の調整プレート３を製造すら場合に比べて調整プレート３の製造コストの低減化に貢献することができる。
【０１３８】
そして、本実施形態に係る引戸装置１００は、鴨居７０および敷居８０に沿って正逆移動することで開閉可能に戸枠に装着された引戸９０の開閉動作をアシストするスライドアシスト装置１０が設けられてなるものであり、特に鴨居７０の案内溝７１の溝底と戸首部材２０との間に、鴨居７０の案内溝７１の溝底に、引戸９０の進行方向の前端側の上端部が跳ね上がるのを防止する跳ね上げ抑制部材１が固定されてなるものである。
【０１３９】
かかる引戸装置１００によれば、跳ね上げ抑制部材１を鴨居７０の案内溝７１の溝底と戸首部材２０との間に介設することにより、引戸９０が開閉されて戸枠に衝突したときの跳ね上がりを抑えることができる。従って、引戸９０にスライドアシスト装置１０が適用され、開閉時にコイルスプリング５０の付勢力が作用することで跳ね上がりが起き易いような引戸装置１００の場合であっても、引戸９０の閉止動作を安定させることができる。
【０１４０】
本発明は、上記の実施形態に限定されるものではなく、以下の内容をも包含するものである。
【０１４１】
（１）本発明の対象となる戸が吊戸の場合、戸本体の上部側面に枠体が側方に突出して設けられる場合がある。このような場合、スライドアシスト装置によるアシスト範囲に亘って、枠体の上面および側面に対向する断面視Ｌ字状のガイドレールが設けられ、このガイドレールに受け部材が取り付けられるが、跳ね上げ抑止部材は、このような吊戸にも適用可能である。この場合、ガイドレールの枠体上面に対向する天井部を基台とし、この天井部に調整プレート３を積層するようにすればよい。
【０１４２】
（２）上記の実施形態の跳ね上げ抑制部材１においては、調整プレート３に設けられる円柱突起５と嵌入円孔３ｃ，３ｄとは２組とされているが、２組に限定されるものではなく、１組でもよいし、３組以上でもよい。
【０１４３】
（３）上記の実施形態においては、結合突起として円柱突起５が採用されているが、円柱突起５であることに限定されるものではなく、四角柱状や多角柱状など各種の形状のものを採用することができる。これに合わせて取り付けプレート２および調整プレート３に設けられる結合凹部が円孔２ｂ、２ｃ、３ｃ、３ｄであることに限定されるものではなく、三角孔、四角孔あるいは多角孔等の他の形状の孔を採用してもよい。
【０１４４】
（４）上記の実施形態においては、取り付けプレート２および調整プレート３に設けられる結合凹部として貫通孔である円孔２ｂ、２ｃ、３ｃ、３ｄが採用されているが、かかる貫通孔に代えて文字どおりの凹部としてもよい。
【０１４５】
（５）上記の実施形態における調整プレート３は、図２〜図６に示す例では、３枚とされているが、当然のことながら３枚未満でもよいし４枚以上であってもよい。
【０１４６】
（６）上記の実施形態においては、調整プレート３に設けられる結合突起として、各円孔３ｃ、３ｄに圧入される円柱突起５が採用されているが、例えば、射出成形法による調整プレート３の製造時に調整プレート３に一体的に円柱突起５を形成させるようにしてもよい。
【０１４７】
（７）上記の実施形態においては、跳ね上げ抑制部材１が適用される引戸９０として底部に戸車９３が設けられた、いわゆる立て付け戸を例に挙げて説明したが、本発明は、引戸が立て付け戸であることに限定されるものではなく、引戸が所定のレールに吊持された、いわゆる吊り戸であってもよい。
【０１４８】
（８）上記の実施形態においては、調整プレート３が取り付けプレート２と同一の長さ寸法に設定されているが、本発明は、調整プレート３が取り付けプレート２と同一の長さ寸法に設定されることに限定されるものではなく、調整プレート３を取り付けプレート２より短尺とし、取り付けプレート２における案内溝７１の終端側の端部と反対側の端部に当該短尺の取り付けプレート２を取り付けるようにしてもよい。この場合でも、取り付けプレート２における調整プレート３の取り付け位置が予め定まっているので、調整プレート３の位置決めを容易に行うことができる。
【０１４９】
（９）上記の実施形態においては、トリガー６０が鴨居７０の案内溝７１の側壁に設けられ、スライド部材４５０とトリガー６０とが引戸９０の側方で係合するように構成されたスライドアシスト装置１０に基づいて説明しているが、スライドアシスト装置は、これに限定されるものではない。すなわち、従来のアシスト装置のようにトリガーを案内溝７１の溝底（天井面）に設け、引戸９０の上方でスライド部材とトリガーとが係合するようなタイプのスライドアシスト装置にも当然に適用することができる。
【０１５０】
この場合、取り付けプレート２を延設してその先端部にトリガーを一体的に設けるようにしてもよい。このように構成すれば、トリガーの位置決めを容易に行うことができる。なお、このように取り付けプレート２を延設した場合でも、調整プレート３の取り付け位置は、スライド部材４５０とトリガー６０とが係合する際の引戸９０の先端部の上方に位置するように位置決めされている。
【符号の説明】
【０１５１】
１  跳ね上げ抑制部材            ２  取り付けプレート（基礎プレート片）
２ａ  円錐台孔（貫通孔）        ２ｂ  内側嵌入円孔（結合凹部）
２ｃ  外側嵌入孔（結合凹部）    ２ｄ  傾斜縁部
３  調整プレート（薄層プレート片）
３ａ  中央部貫通孔（挿通孔）    ３ｂ  内側圧入円孔
３ｃ  内側嵌入円孔（結合凹部）  ３ｄ  外側嵌入円孔（結合凹部）
３ｅ  外側圧入円孔              ３ｆ  傾斜縁部
４  結合構造                    ５  円柱突起
５ａ  圧入部                    ５ｂ  頭部
１００  引戸装置                １０  スライドアシスト装置
２０  戸首部材（枠体）          ２２  第１エッジブロック
２２１  ブロック本体            ２２１ａ  ネジ孔
２２２  はみ出しブロック        ２２２ａ  貫通孔
２２３  台座ブロック            ２２３ａ  受台
２２３ｂ  脚部                  ２３  第２エッジブロック
２３１  円孔                    ２３２  Ｙ字片
２３３  ネジ孔                  ２３４  かしめ孔
２９  二股片                    ２９１  装着隙間
２９２  貫通孔                  ３０  角筒体
３１  第１アングル材            ３１４  横板
３１５  ネジ孔                  ３２  第２アングル材
３２１  縦板                    ３２３  横板
３２４  挿通孔                  ３３  ガイドスリット
３４  角孔                      ４０  ショックアブソーバ
４０  円筒部材                  ４１  内筒体
４１６  ブラケット              ４１６ａ  挿通孔
４２  外筒体                    ４２６  ブラケット
４２６ａ  挿通孔                ４５  スライドブロック
４５１  ブロック基体            ４５２  軸支板
４５２ａ  かしめ孔              ４５３  突設片
４５４  Ｙ字片                  ４５５  円孔
４５６  かしめ孔                ４６  装着空間
４９  引掛け部材                ４９１  三角ブロック
４９１ａ  挿通孔                ４９１ｂ  前方右縁部
４９２  舌片                    ４９２ａ  右角部
４９２ｂ  傾斜面                ５０  コイルスプリング
５５  円形係止片                ６０  トリガー（受け部材）
６４  上部ブラケット片          ６５  下部ブラケット片
６６  係合条                    ６７  貫通孔
７０  鴨居（構造物の一部）      ７１  鴨居用案内溝
７２  装着孔                    ７３  前方内壁
８０  敷居                      ８１  案内溝
９０  引戸                      ９１  戸本体
９２  目隠し板                  ９３  戸車
Ｌ  中心線                      Ｍ  木ネジ
Ｎ  ネジ                        Ｐ  ピン
Ｓ  ネジ                        Ｓ１  短尺距離
Ｓ２  長尺距離
【図１】
2011032714.tif 000003
【図２】
2011032714.tif 000004
【図３】
2011032714.tif 000005
【図４】
2011032714.tif 000006
【図５】
2011032714.tif 000007
【図６】
2011032714.tif 000008
【図７】
2011032714.tif 000009
【図８】
2011032714.tif 000010
【図９】
2011032714.tif 000011
【図１０】
2011032714.tif 000012
【図１１】
2011032714.tif 000013
【図１２】
2011032714.tif 000014
【図１３】
2011032714.tif 000015